(57)【要約】【課題】複数の液体を確実に混合することができ、しかも液残りが生じ難い、検査用具を提供する。【解決手段】流体が送液される流路１０が設けられている基板を備え、流路１０の途中に複数の液体を混合するための混合流路１４が設けられており、混合流路１４が、基板の一方の面側に拡大されている第１の流路部と、基板の他方の面側に拡大されている第２の流路部とを有し、流路が延びる方向において、第１の流路部及び第２の流路部が、一部重複している部分を有しており、第１の流路部全体の長さに対する第１の流路部及び第２の流路部が一部重複している部分の長さの比Ｌ１と、第２の流路部全体の長さに対する第１の流路部及び第２の流路部が一部重複している部分の長さの比Ｌ２とのうち小さい方の比Ｌが、０．０５以上、０．７以下であり、平面視における混合流路１４全体の面積Ｓの混合流路１４全体の体積Ｖに対する比（Ｓ／Ｖ）が、４以下である、検査用具。【選択図】図２
2020091244.tif 000002
【特許請求の範囲】
【請求項１】
流体が送液される流路が設けられている基板を備え、
前記流路の途中に複数の液体を混合するための混合流路が設けられており、
前記混合流路が、前記基板の一方の面側に拡大されている第１の流路部と、前記基板の他方の面側に拡大されている第２の流路部とを有し、
前記流路が延びる方向において、
前記第１の流路部及び前記第２の流路部が、一部重複している部分を有しており、
前記第１の流路部全体の長さに対する前記第１の流路部及び前記第２の流路部が一部重複している部分の長さの比Ｌ１と、前記第２の流路部全体の長さに対する前記第１の流路部及び前記第２の流路部が一部重複している部分の長さの比Ｌ２とのうち小さい方の比Ｌが、０．０５以上、０．７以下であり、
平面視における前記混合流路全体の面積Ｓの前記混合流路全体の体積Ｖに対する比（Ｓ／Ｖ）が、４以下である、検査用具。
【請求項２】
前記基板が、対向し合う第１の主面及び第２の主面と、該第１の主面及び第２の主面を結んでおり、対向し合う第１の側面及び第２の側面とを有し、
前記第１の流路部が、前記第１の側面側に拡大されており、
前記第２の流路部が、前記第２の側面側に拡大されている、請求項１に記載の検査用具。
【請求項３】
前記流路の延びる方向において、前記第１の流路部及び前記第２の流路部が、交互に設けられている、請求項１又は２に記載の検査用具。
【請求項４】
前記第１の流路部及び前記第２の流路部の総数が、２以上である、請求項１〜３のいずれか１項に記載の検査用具。
【請求項５】
前記比Ｌが、０．１以上、０．５以下である、請求項１〜４のいずれか１項に記載の検査用具。
【請求項６】
前記流路が、マイクロ流路である、請求項１〜５のいずれか１項に記載の検査用具。
【発明の詳細な説明】
【技術分野】
【０００１】
本発明は、流体が送液される流路が設けられた基板を備える、検査用具に関する。
【背景技術】
【０００２】
従来、流体が送液されるマイクロ流路等の流路が設けられた基板を備える、検査用具が種々提案されている。このような検査用具を用いて、各種検体又は試料の送液や反応を制御することにより、血液検査や遺伝子検査などを行なう方法が検討されている。
【０００３】
ところで、マイクロ流路を流れる液体は、一般的に安定な層流を生じる。そのため、マイクロ流路において複数の液体を混合する場合は、混合の効率が低下するという問題がある。
【０００４】
そこで、例えば、下記の特許文献１には、移動・液送される複数の流体を確実かつ効率よく混合するための混合流路がマイクロ流路の途中に設けられている、マイクロ流体デバイスが開示されている。特許文献１では、混合流路が、基板の一方の面側に突出している部分と、他方の面側に突出している部分とを有している。また、一方の面側に突出している部分と、他方の面側に突出している部分とは、液体の送液方向において線対称に配置されており、液体の送液方向において完全に重複する位置に設けられている。
【先行技術文献】
【特許文献】
【０００５】
【特許文献１】特開２０１６−０９７３５３号公報
【発明の概要】
【発明が解決しようとする課題】
【０００６】
しかしながら、特許文献１のような混合流路を設けた場合においても、混合の精度がなお不十分であった。
【０００７】
また、本発明者らは、マイクロ流路のような層流下において、乱流を生じさせることによって混合の効率を高めようとすると、液残りが生じることがあり、その結果、後工程における検査や分析において測定の感度が低下するという問題が生じることを見出した。
【０００８】
本発明の目的は、複数の液体を確実に混合することができ、しかも液残りが生じ難い、検査用具を提供することにある。
【課題を解決するための手段】
【０００９】
本発明に係る検査用具は、流体が送液される流路が設けられている基板を備え、前記流路の途中に複数の液体を混合するための混合流路が設けられており、前記混合流路が、前記基板の一方の面側に拡大されている第１の流路部と、前記基板の他方の面側に拡大されている第２の流路部とを有し、前記流路が延びる方向において、前記第１の流路部及び前記第２の流路部が、一部重複している部分を有しており、前記第１の流路部全体の長さに対する前記第１の流路部及び前記第２の流路部が一部重複している部分の長さの比Ｌ１と、前記第２の流路部全体の長さに対する前記第１の流路部及び前記第２の流路部が一部重複している部分の長さの比Ｌ２とのうち小さい方の比Ｌが、０．０５以上、０．７以下であり、平面視における前記混合流路全体の面積Ｓの前記混合流路全体の体積Ｖに対する比（Ｓ／Ｖ）が、４以下である。
【００１０】
本発明に係る検査用具のある特定の局面では、前記基板が、対向し合う第１の主面及び第２の主面と、該第１の主面及び第２の主面を結んでおり、対向し合う第１の側面及び第２の側面とを有し、前記第１の流路部が、前記第１の側面側に拡大されており、前記第２の流路部が、前記第２の側面側に拡大されている。
【００１１】
本発明に係る検査用具の他の特定の局面では、前記流路の延びる方向において、前記第１の流路部及び前記第２の流路部が、交互に設けられている。
【００１２】
本発明に係る検査用具のさらに他の特定の局面では、前記第１の流路部及び前記第２の流路部の総数が、２以上である。
【００１３】
本発明に係る検査用具のさらに他の特定の局面では、前記比Ｌが、０．１以上、０．５以下である。
【００１４】
本発明に係る検査用具のさらに他の特定の局面では、前記流路が、マイクロ流路である。
【発明の効果】
【００１５】
本発明によれば、複数の液体を確実に混合することができ、しかも液残りが生じ難い、検査用具を提供することができる。
【図面の簡単な説明】
【００１６】
【図１】図１は、本発明の一実施形態に係るマイクロチップを示す模式的斜視図である。
【図２】図２は、本発明の一実施形態に係るマイクロチップの流路構造を説明するための模式的平面図である。
【図３】図３は、本発明の一実施形態に係るマイクロチップにおける混合流路を拡大して示す模式的平面図である。
【図４】図４は、本発明の一実施形態に係るマイクロチップの第１の変形例における混合流路を拡大して示す模式的平面図である。
【図５】図５は、本発明の一実施形態に係るマイクロチップの第２の変形例における混合流路を拡大して示す模式的平面図である。
【図６】図６は、本発明の一実施形態に係るマイクロチップにおける混合流路の各寸法を説明するための模式的平面図である。
【図７】図７は、比較例のマイクロチップの混合流路を拡大して示す模式的平面図である。
【発明を実施するための形態】
【００１７】
以下、図面を参照しつつ、本発明の具体的な実施形態を説明することにより、本発明を明らかにする。
【００１８】
なお、本明細書に記載の各実施形態は、例示的なものであり、異なる実施形態間において、構成の部分的な置換または組み合わせが可能であることを指摘しておく。
【００１９】
以下の一実施形態では、本発明の検査用具の一例としてマイクロ流路を有するマイクロチップについて説明する。もっとも、本発明における検査用具は、このようなマイクロチップに限定されず、通常の寸法の流路を有するチップにも適用することができる。また、本発明における検査用具とは、検査のみに限定されず、種々の分析に用いられる分析用具をも含む広い概念で用いられるものとする。
【００２０】
図１は、本発明の一実施形態に係るマイクロチップを示す模式的斜視図である。図１に示すように、マイクロチップ１は、矩形板状の基板２を有する。もっとも、基板２の形状は、特に限定されず、例えば、円盤状であってもよい。
【００２１】
基板２は、対向している第１の主面２ａ及び第２の主面２ｂを有する。また、基板２は、対向している第１の側面２ｃ及び第２の側面２ｄを有する。第１の側面２ｃ及び第２の側面２ｄは、第１の主面２ａ及び第２の主面２ｂを結んでいる。
【００２２】
基板２は、基板本体３と、基板本体３の上面を覆うように設けられた第１のカバー層４と、基板本体３の下面側に積層された第２のカバー層５とを有する。第１のカバー層４は、第１の主面２ａ側に設けられている。第２のカバー層５は、第２の主面２ｂ側に設けられている。なお、積層構造は特に限定されない。
【００２３】
基板本体３を構成する材料は、特に限定されないが、例えば、合成樹脂を用いることができる。合成樹脂としては、特に限定されないが、熱可塑性樹脂であることが好ましい。なかでも、熱可塑性樹脂としては、例えば、シクロオレフィンポリマー、シクロオレフィンコポリマー、ポリカーボネート、ポリメチルメタクリレート、又はポリプロピレンなどを用いることができる。これらは、１種を単独で用いてもよく、複数種を併用してもよい。
【００２４】
基板本体３は、上記熱可塑性樹脂の成型体からなることが好ましい。成型方法としては、特に限定されず、公知の成型方法を用いることができる。成型方法としては、例えば、例えば、射出成型、射出圧縮成型、ガスアシスト法射出成型、押し出し成型、多層押し出し成型、回転成形、熱プレス成型、ブロー成形、発泡成形などの方法が挙げられる。なかでも、射出成型であることが好ましい。
【００２５】
第１のカバー層４及び第２のカバー層５は、例えば、樹脂フィルムなどの可撓性を有する材料により構成することができる。樹脂フィルムとしては、例えば、シクロオレフィンポリマー、シクロオレフィンコポリマー、ポリカーボネート、ポリメチルメタクリレート、又はポリプロピレン等の熱可塑性樹脂を用いることができる。これらは、１種を単独で用いてもよく、複数種を併用してもよい。なお、本発明において、基板本体３とカバー層とは、一体的に構成されていてもよい。
【００２６】
また、第１のカバー層４及び第２のカバー層５は、弾性部材により構成されていてもよい。弾性部材としては、特に限定されないが、エラストマーであることが好ましい。
【００２７】
第１のカバー層４及び第２のカバー層５を基板本体３に貼り合わせる方法は、特に限定されず、公知のラミネート方法を用いることができる。ラミネート方法としては、例えば、プレス圧着、ロールラミネートなどの方法が挙げられる。なお、ラミネート条件は、特に限定されないが、例えば、５０℃以下の温度でラミネートすることが好ましい。また、１０ＭＰａ以下の圧力でラミネートすることが好ましい。このような条件でラミネートすることにより、流路への第１のカバー層４及び第２のカバー層５の埋め込みをより一層生じ難くすることができる。
【００２８】
図２は、本発明の一実施形態に係るマイクロチップの流路構造を説明するための模式的平面図である。また、図３は、本発明の一実施形態に係るマイクロチップにおける混合流路を拡大して示す模式的平面図である。
【００２９】
基板２の内部には、流体が送液される流路が設けられている。ここでは、流路がマイクロ流路１０である。流路は、マイクロ流路１０ではなく、マイクロ流路１０よりも断面積の大きな流路であってもよい。もっとも、マイクロ流路１０であることが好ましい。それによって、微量の試料により、様々な分析や検査を行うことができる。
【００３０】
ところで、マイクロ流路１０とは、流体の搬送に際し、マイクロ効果が生じるような微細な流路をいう。このようなマイクロ流路１０では、液体は、表面張力の影響を強く受け、通常の大寸法の流路を流れる液体とは異なる挙動を示す。
【００３１】
マイクロ流路１０の横断面形状及び大きさは、上記のマイクロ効果が生じる流路であれば特に限定はされない。例えば、マイクロ流路１０に流体を流す際、ポンプや重力を用いる場合には、流路抵抗を低下させる観点から、マイクロ流路１０の横断面形状がおおむね長方形（正方形を含む）の場合には、小さい方の辺の寸法で、２０μｍ以上が好ましく、５０μｍ以上がより好ましく、１００μｍ以上がさらに好ましい。マイクロチップ１を用いたマイクロ流体デバイスのより一層の小型化の観点より、小さい方の辺の寸法で、５ｍｍ以下が好ましく、１ｍｍ以下がより好ましく、５００μｍ以下がさらに好ましい。
【００３２】
また、マイクロ流路１０の横断面形状がおおむね円形の場合には、直径（楕円の場合には、短径）が、２０μｍ以上が好ましく、５０μｍ以上がより好ましく、１００μｍ以上がさらに好ましい。上記マイクロ流体デバイスのより一層の小型化の観点より、直径（楕円の場合には、短径）は、５ｍｍ以下が好ましく、１ｍｍ以下がより好ましく、５００μｍ以下がさらに好ましい。
【００３３】
一方、例えば、マイクロ流路１０に流体を流す際、毛細管現象を有効に活用する場合には、マイクロ流路１０の横断面形状がおおむね長方形（正方形を含む）の場合には、小さい方の辺の寸法で、５μｍ以上であることが好ましく、１０μｍ以上であることがより好ましく、２０μｍ以上であることがさらに好ましい。また、小さい方の辺の寸法で、２００μｍ以下であることが好ましく、１００μｍ以下であることがさらに好ましい。
【００３４】
本実施形態では、マイクロ流路１０の途中に、第１の液体貯蔵部１１、第２の液体貯蔵部１２、第３の液体貯蔵部１３、及び混合流路１４が設けられている。より具体的には、マイクロ流路１０において、上流側から第１の液体貯蔵部１１、第２の液体貯蔵部１２、第３の液体貯蔵部１３が設けられている。そして、第３の液体貯蔵部１３よりも下流側に混合流路１４が設けられている。混合流路１４のさらに下流側に下流側流路１７が設けられている。なお、第１〜第３の液体貯蔵部１１〜１３及び混合流路１４は、それぞれ、直接連結されていてもよいし、連結用マイクロ流路や他の空間を介して設けられていてもよい。本実施形態において、第１〜第３の液体貯蔵部１１〜１３、及び混合流路１４は、それぞれ、連結用マイクロ流路を介して連なっている。
【００３５】
第１〜第３の液体貯蔵部１１〜１３は、それぞれ、液体試薬や溶媒などの液体を混合流路１４に送り込む前に貯蔵しておく空間である。本実施形態のように、３つの液体貯蔵部が設けられている場合、３種類の液体を貯蔵しておくことができる。もっとも、本発明において、マイクロ流路１０に設けられる液体貯蔵部の数は、特に限定されない。また、液体貯蔵部が設けられていなくともよい。
【００３６】
本実施形態において、混合流路１４は、第１〜第３の液体貯蔵部１１〜１３から送液される３種類の液体を混合するための流路である。もっとも、混合流路１４は、２以上の液体を混合する流路であればよく、混合される液体の種類は特に限定されない。
【００３７】
図３に示すように、混合流路１４は、第１の流路部１５と第２の流路部１６とを有する。第１の流路部１５は、第１の側面２ｃ側に流路が拡大されている凹部である。第２の流路部１６は、第２の側面２ｄ側に流路が拡大されている凹部である。もっとも、本発明においては、第１の流路部１５が第１の主面２ａ側に流路が拡大された凹部であり、第２の流路部１６が第２の主面２ｂ側に流路が拡大された凹部であってもよい。第１の流路部１５が一方の面側に流路が拡大された凹部であり、第２の流路部１６が他方の面側に流路が拡大された凹部であればよい。
【００３８】
本実施形態では、２つの第１の流路部１５と２つの第２の流路部１６とが、第１の流路部１５から順に交互に設けられている。もっとも、隣り合う第１の流路部１５及び第２の流路部１６が少なくとも１組設けられていればよく、必ずしも全ての第１の流路部１５及び第２の流路部１６が交互に設けられている必要はない。なお、混合流路１４において、複数の液体をより一層精度よく混合する観点からは、第１の流路部１５及び第２の流路部１６が交互に設けられていることが好ましい。
【００３９】
また、図３に示すように、本実施形態においては、第１の流路部１５及び第２の流路部１６の平面形状が、それぞれ、半円状である。もっとも、図４に示す第１の変形例における混合流路１４Ａように、第１の流路部１５Ａ及び第２の流路部１６Ａの平面形状が、それぞれ、半楕円状であってもよい。図５に示す第２の変形例における混合流路１４Ｂように、第１の流路部１５Ｂ及び第２の流路部１６Ｂの平面形状が、それぞれ、多角形状の凹部であってもよい。なお、上記半円状、半楕円状、及び多角形状は、それぞれ、略半円状、略半楕円状、及び略多角形状であってもよく、第１の流路部１５及び第２の流路部１６の平面形状は、特に限定されない。
【００４０】
図３に戻り、本実施形態では、マイクロ流路２が延びる方向に沿うＸ方向において、第１の流路部１５及び第２の流路部１６が一部重複（オーバーラップ）している部分を有している。本実施形態では、Ｘ方向において、比Ｌ１と比Ｌ２とのうち小さい方の比Ｌが、０．０５以上、０．７以下である。なお、比Ｌ１は、第１の流路部１５全体の長さに対する第１の流路部１５及び第２の流路部１６が一部重複している部分の長さの比（一部重複している部分の長さ／第１の流路部１５全体の長さ）である。また、比Ｌ２は、第２の流路部１６全体の長さに対する第１の流路部１５及び第２の流路部１６が一部重複している部分の長さの比（一部重複している部分の長さ／第２の流路部１６全体の長さ）である。
【００４１】
これを、以下、図６を参照してより詳細に説明する。
【００４２】
図６に示すように、Ｘ方向において、第１の流路部１５の第２の流路部１６と重複している側の第１の端部１５ａと、他方側の第２の端部１５ｂとを結ぶ直線の長さが、第１の流路部１５全体の長さである。一方、Ｘ方向において、第２の流路部１６の第１の流路部１５と重複している側の第１の端部１６ａと、他方側の第２の端部１６ｂとを結ぶ直線の長さが、第２の流路部１６全体の長さである。
【００４３】
また、マイクロ流路１０の幅方向中心を通り、かつマイクロ流路１０の伸びる方向に沿う直線を直線Ｘ１とする。第１の流路部１５の第１の端部１５ａから直線Ｘ１に下ろした垂線と直線Ｘ１との交点をＰとする。第２の流路部１６の第１の端部１６ａから直線Ｘ１に下ろした垂線と直線Ｘ１との交点をＱとする。この交点Ｐ及び交点Ｑ間の距離が、第１の流路部１５及び第２の流路部１６が一部重複している部分の長さである。
【００４４】
このような第１の流路部１５及び第２の流路部１６の各寸法は、マイクロ流路１０の重心を通り、マイクロチップ１の最も大きい面（例えば、本実施形態では第１の主面２ａ）に対して平行な面について求めることとする。また、第１の流路部１５及び第２の流路部１６が深さを有する場合、深さ方向において最も第１の流路部１５及び第２の流路部１６が大きくなる面の寸法を求めることとする。なお、後述する混合流路１４全体の面積Ｓについても同様にして求めるものとする。
【００４５】
本実施形態においては、このようにして求めた第１の流路部１５全体の長さに対する第１の流路部１５及び第２の流路部１６が一部重複している部分の長さの比Ｌ１と、第２の流路部１６全体の長さに対する第１の流路部１５及び第２の流路部１６が一部重複している部分の長さの比Ｌ２とのうち小さい方の比Ｌが、０．０５以上、０．７以下である。
【００４６】
また、平面視における混合流路１４全体の面積Ｓの混合流路１４全体の体積Ｖに対する比（Ｓ／Ｖ）が、４以下である。
【００４７】
本発明者らは、比Ｌ及び比（Ｓ／Ｖ）を上記範囲とすることにより、混合流路１４において、複数の液体を確実に混合することができ、しかも液残りを生じ難くできることを見出した。
【００４８】
なお、本発明においては、少なくとも１組の隣り合う第１の流路部１５及び第２の流路部１６が、比Ｌ及び比（Ｓ／Ｖ）の上記範囲を満たしていればよい。もっとも、複数の液体をより一層確実に混合し、しかも液残りをより一層生じ難くする観点からは、比Ｌ及び比（Ｓ／Ｖ）が上記範囲を満たす第１の流路部１５及び第２の流路部１６の総数が、好ましくは２以上、より好ましくは３以上、好ましくは２０以下、より好ましくは１０以下である。なお、比Ｌ及び比（Ｓ／Ｖ）が上記範囲を満たさない他の流路がさらに連ねられていてもよい。
【００４９】
本発明においては、比Ｌが、好ましくは０．１以上、より好ましくは０．１５以上、好ましくは０．５以下、より好ましくは０．４以下である。比Ｌが上記範囲内にある場合、複数の液体をより一層確実に混合することができ、しかも液残りをより一層生じ難くすることができる。
【００５０】
また、比（Ｓ／Ｖ）は、４以下、好ましくは３以下である。比（Ｓ／Ｖ）が上記上限値以下である場合、複数の液体をより一層確実に混合することができ、しかも液残りをより一層生じ難くすることができる。なお、比（Ｓ／Ｖ）の値は小さいほど好ましいが、比（Ｓ／Ｖ）の下限値は、例えば、１とすることができる。
【００５１】
第１の流路部１５及び第２の流路部１６のＸ方向における長さは、例えば、それぞれ、０．３ｍｍ以上、２０ｍｍ以下とすることができる。第１の流路部１５及び第２の流路部１６の厚みは、例えば、それぞれ、０．１ｍｍ以上、２０ｍｍ以下とすることができる。
【００５２】
第１の流路部１５及び第２の流路部１６の平面形状が半円状である場合は、その半径を、例えば、それぞれ、０．３ｍｍ以上、２０ｍｍ以下とすることができる。第１の流路部１５及び第２の流路部１６の平面形状が半楕円状である場合は、短径を、例えば、それぞれ、０．３ｍｍ以上、２０ｍｍ以下とすることができる。なお、長径は、それぞれ、第１の流路部１５及び第２の流路部１６のＸ方向における長さとすることができる。また、第１の流路部１５及び第２の流路部１６の平面形状が多角形状の凹部である場合は、最もマイクロ流路１０から離れている頂点からマイクロ流路１０の主流路までの長さを、例えば、それぞれ、０．３ｍｍ以上、２０ｍｍ以下とすることができる。なお、第１の流路部１５及び第２の流路部１６における上記半径などの各寸法は、同じ長さであってもよく、異なる長さであってもよい。
【００５３】
平面視における混合流路１４全体の面積Ｓは、例えば、それぞれ、５ｍｍ２以上、３０００ｍｍ２以下とすることができる。また、混合流路１４全体の体積Ｖは、例えば、それぞれ、３μＬ以上、１０００μＬ以下とすることができる。この場合、比Ｓ／Ｖの単位は、（ｍｍ２／μＬ）と表すこともできる。
【００５４】
本発明において、マイクロ流路１０内を送液される液体は、マイクロチップ１の内部又は外部に設けられた送液手段により送液することができる。送液手段としては、特に限定されず、例えば、マイクロポンプが挙げられる。具体的には、マイクロポンプを用いて、マイクロ流路１０に液体や空気、又は所定のガスを送り込むことにより、混合流路１４及びさらに下流側の下流側流路１７へ液体を送液する手段が挙げられる。この場合、マイクロポンプは、マイクロチップ１の内部に設けられていてもよいし、マイクロチップ１の外部に設けられていてもよい。このような手段により、液体が混合流路１４及びさらに下流側の下流側流路１７へ送液される。
【００５５】
また、他の送液手段としては、マイクロ流路１０より上流側に連結された空間に配置されたガス発生部材が挙げられる。ガス発生部材とは、光や熱等の外力によりガスを発生する部材である。ガス発生部材に所定のタイミングで外力を加えることによりガスを発生させ、マイクロ流路１０にガスを送り込むことができる。それによって、混合流路１４側へ液体を送液することができる。ガス発生部材としては、例えば、ガス発生テープが挙げられる。
【００５６】
以下、本発明の具体的な実施例及び比較例を挙げることにより、本発明を明らかにする。なお、本発明は以下の実施例に限定されるものではない。
【００５７】
（実施例１〜２２，比較例１〜１６）
実施例１〜２２，比較例１〜１６では、以下のようにして検査チップを作製した。
【００５８】
基板を構成する材料として、シクロオレフィンポリマー（日本ゼオン社製、商品名「１４２０Ｒ」）を用い、これを射出成形することにより、凹部を有する基板を作製した。また、樹脂フィルム（日本ゼオン社製、「ゼオノアフィルムＺＦ１４−１８８（シクロオレフィンポリマー）」（フィルムの厚み０．１８８ｍｍ））を基板表面に重ねて、熱融着し、図２に示すような流路構造が設けられているマイクロチップを得た。熱融着の条件は、基板側のプレス板温度を６０℃、樹脂フィルム側のプレス温度を１９０℃、プレス圧を６０ｋｇ／ｃｍ２、プレス時間を１０秒とした。混合流路１４の各寸法は、下記の表１〜表４に示す通りである。なお、実施例１〜２２，比較例１〜１６では、いずれも第１の流路部及び第２の流路部を１つずつ形成しており、流路部の総数は２個である。また、実施例１〜２０及び比較例１〜１６では、図３に示すような半円状の第１の流路部１５及び第２の流路部１６を形成した。実施例２１では、図４に示すような半楕円状の第１の流路部１５Ａ及び第２の流路部１６Ａを形成した。実施例２２では、図５に示すような多角形状の凹部である第１の流路部１５Ｂ及び第２の流路部１６Ｂを形成した。また、比較例６〜９では、送液方向Ｘにおいて、完全に重複している第１の流路部１５及び第２の流路部１６を形成した。比較例１０〜１１では、図７に示すように、送液方向Ｘにおいて、完全に重複していない第１の流路部１０５及び第２の流路部１０６を形成した。
【００５９】
（評価）
混合性能の測定；
第１〜第３の液体貯蔵部１１〜１３に、表１に示す各液体を充填した。次に、マイクロポンプによりガスを発生させ、各液体の後方からガスを付与することで、押圧することにより、第１〜第３の液体貯蔵部１１〜１３に充填された各液体を混合流路１４へ送液し、混合流路１４で混合させた。その後、混合流路１４を通過し、下流側流路１７まで送液された液体の液先頭部及び液最後尾からそれぞれ５μＬを回収し、屈折率の測定に用いた。なお、屈折率は、島津製作所製、精密屈折計（ＫＰＲ−３０００型）を用いてＶブロック法にて評価した。
【００６０】
液先頭部及び液最後尾の屈折率の差Δを求め、以下の評価基準で評価した。
【００６１】
［評価基準］
◎…Δ＝０．００１以下
○…Δ＝０．００１より大きく、０．０１以下
×…Δ＝０．０１より大きく、０．１以下
【００６２】
（液残り）
第１〜第３の液体貯蔵部１１〜１３に、表１に示す各液体を充填した。次に、マイクロポンプによりガスを発生させ、各液体の後方からガスを付与することで、押圧することにより、第１〜第３の液体貯蔵部１１〜１３に充填された各液体を混合流路１４へ送液し、混合流路１４で混合させた。その後、混合流路１４を通過し、下流側流路１７まで送液された液量を量り取り、送液量との関係から以下の式により、液残り量を求め、以下の評価基準で液残りを評価した。
【００６３】
液残り量（％）＝１００−（下流側流路１７で量り取った液量／送液量）×１００
【００６４】
［評価基準］
〇…液残り量が０．１％以下
×…液残り量が０．１％より多い
【００６５】
結果を下記の表１〜表４に示す。
【００６６】
【表１】
2020091244.tif 000003
【００６７】
【表２】
2020091244.tif 000004
【００６８】
【表３】
2020091244.tif 000005
【００６９】
【表４】
2020091244.tif 000006
【符号の説明】
【００７０】
１…マイクロチップ
２…基板
２ａ，２ｂ…第１，第２の主面
２ｃ，２ｄ…第１，第２の側面
３…基板本体
４，５…第１，第２のカバー層
１０…マイクロ流路
１１，１２，１３…第１，第２，第３の液体貯蔵部
１４，１４Ａ，１４Ｂ…混合流路
１５，１５Ａ，１５Ｂ…第１の流路部
１５ａ，１６ａ…第１の端部
１５ｂ，１６ｂ…第２の端部
１６，１６Ａ，１６Ｂ…第２の流路部
１７…下流側流路
【図１】
2020091244.tif 000007
【図２】
2020091244.tif 000008
【図３】
2020091244.tif 000009
【図４】
2020091244.tif 000010
【図５】
2020091244.tif 000011
【図６】
2020091244.tif 000012
【図７】
2020091244.tif 000013